【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
プロセス溶体の貯蔵デバイスであって、
（ａ）内部に基材が配置されたハウジングと、
（ｂ）前記ハウジング内に収容されるプロセス溶体であって、前記基材上に吸着され、それにより前記基材内の溶体を希釈するように、前記基材と流体接触するプロセス溶体と、
（ｃ）前記ハウジング内に含まれるヘッドスペースであって、前記基材によってプロセス溶体から分離されるヘッドスペースとを備え、
前記ハウジングは、キャリアガスが前記ヘッドスペースを通って流れることを可能にするように構成されるか、または真空が前記ヘッドスペースを介して引き込まれることを可能にするように構成され、それにより、プロセス溶体の気相を含むガス流を生成して、当該ガス流を重要なプロセス、アプリケーションまたは貯蔵容器に供給することを特徴とする貯蔵デバイス。
【請求項２】
請求項１に記載の貯蔵デバイスにおいて、
前記プロセス溶体が、溶液または気溶体であり、過酸化水素、ヒドラジン、モノメチルヒドラジン、第三級ブチルヒドラジン、ジメチルヒドラジンおよびそれらの任意の誘導体からなる群のなかから選択されることを特徴とする貯蔵デバイス。
【請求項３】
請求項２に記載の貯蔵デバイスにおいて、
前記プロセス溶体が、無水過酸化水素溶体または無水ヒドラジン溶体であることを特徴とする貯蔵デバイス。
【請求項４】
請求項１に記載の貯蔵デバイスにおいて、
前記基材が、アルミナ、酸化アルミニウム、二酸化チタン、シリカ、二酸化ケイ素、石英、活性炭、分子ふるい炭素、熱分解炭素、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、レーヨン、酸化ジルコニウム、ゼオライト、高シリカゼオライト、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、シルク、テンセル、スポンジ材料、ポリエチレングリコール（ＰＥＧ）、ポリビニルアルコール（ＰＶＡ）、および／またはポリビニルピロリドン（ＰＶＰ）、ポリピリジン、ポリアクリレート、ポリアクリル酸、ポリアクリル酸／アクリレートコポリマー、ポリカーボネート、ポリアクリルアミド、ポリアクリレート／アクリルアミドコポリマー、セルロース材料、およびそれらの任意の組合せからなる群のなかから選択される材料から形成されていることを特徴とする貯蔵デバイス。
【請求項５】
請求項１に記載の貯蔵デバイスにおいて、
前記基材が、二酸化ケイ素、石英、活性炭、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、およびそれらの任意の組合せからなる群のなかから選択される材料から形成されていることを特徴とする貯蔵デバイス。
【請求項６】
請求項１に記載の貯蔵デバイスにおいて、
前記基材が、約１００ｍ２／ｇ〜１０００ｍ２／ｇの範囲の表面積を有する多孔質構造であることを特徴とする貯蔵デバイス。
【請求項７】
請求項５に記載の貯蔵デバイスにおいて、
前記基材が、生地、粉末、１または複数のレンガ、１または複数のブロック、１または複数のビーズ、１または複数の粒子、１または複数の押出成形物または１または複数のペレットとして形成されることを特徴とする貯蔵デバイス。
【請求項８】
請求項１に記載の貯蔵デバイスにおいて、
前記基材が、ポリエチレングリコール（ＰＥＧ）、ポリビニルアルコール（ＰＶＡ）、ポリビニルピロリドン（ＰＶＰ）、ポリピリジン、およびそれらの任意の組合せからなる群のなかから選択されるヒドロゲルであることを特徴とする貯蔵デバイス。
【請求項９】
請求項１乃至８の何れか一項に記載の貯蔵デバイスにおいて、
デバイス内のプロセス溶体の量が、プロセス溶体／基材の複合体の約３０〜１９００重量パーセントであることを特徴とする貯蔵デバイス。
【請求項１０】
ガスを送達する方法であって、
（ａ）密閉されたハウジング内で基材とプロセス溶体を接触させて、溶体を前記基材上に吸着させ、それにより前記基材内のプロセス溶体を希釈するステップと、
（ｂ）前記基材をキャリアガスまたは真空に曝し、それによりプロセス溶体の気相を含むガス流を形成するステップと、
（ｃ）ガス流を重要なプロセス、アプリケーションまたは貯蔵容器に供給するステップとを含み、
前記ハウジングは、キャリアガスが前記ハウジング内のヘッドスペースを通って流れることを可能にするように構成されるか、または真空が前記ヘッドスペースを介して引き込まれることを可能にするように構成されており、前記ヘッドスペースが、前記基材によってプロセス溶体から分離されることを特徴とする方法。
【請求項１１】
請求項１０に記載の方法において、
前記プロセス溶体が、溶液または気溶体であり、過酸化水素、ヒドラジン、モノメチルヒドラジン、第三級ブチルヒドラジン、ジメチルヒドラジン、およびそれらの任意の誘導体からなる群のなかから選択されることを特徴とする方法。
【請求項１２】
請求項１１に記載の方法において、
前記プロセス溶体が、無水過酸化水素溶体または無水ヒドラジン溶体であることを特徴とする方法。
【請求項１３】
請求項１０に記載の方法において、
前記基材が、アルミナ、酸化アルミニウム、二酸化チタン、シリカ、二酸化ケイ素、石英、活性炭、分子ふるい炭素、熱分解炭素、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、レーヨン、酸化ジルコニウム、ゼオライト、高シリカゼオライト、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、シルク、テンセル、スポンジ材料、ポリエチレングリコール（ＰＥＧ）、ポリビニルアルコール（ＰＶＡ）、および／またはポリビニルピロリドン（ＰＶＰ）、ポリピリジン、ポリアクリレート、ポリアクリル酸、ポリアクリル酸／アクリレートコポリマー、ポリカーボネート、ポリアクリルアミド、ポリアクリレート／アクリルアミドコポリマー、セルロース材料、およびそれらの任意の組合せからなる群のなかから選択される材料から形成されることを特徴とする方法。
【請求項１４】
請求項１０に記載の方法において、
前記基材が、二酸化ケイ素、石英、活性炭、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、およびそれらの任意の組合せからなる群のなかから選択される材料から形成されることを特徴とする方法。
【請求項１５】
請求項１１に記載の方法において、
前記基材が、３０％ｗ／ｗを超える過酸化水素を吸着するように構成されることを特徴とする方法。
【請求項１６】
請求項１０に記載の方法において、
前記基材が、生地、粉末、１または複数のレンガ、１または複数のブロック、１または複数のビーズ、１または複数の粒子、１または複数の押出成形物または１または複数のペレットとして形成されることを特徴とする方法。
【請求項１７】
請求項１０に記載の方法において、
前記基材が、ポリエチレングリコール（ＰＥＧ）、ポリビニルアルコール（ＰＶＡ）、ポリビニルピロリドン（ＰＶＰ）、ポリピリジン、およびそれらの任意の組合せからなる群のなかから選択されるヒドロゲルであることを特徴とする方法。
【請求項１８】
請求項１０に記載の方法において、
前記キャリアガスが、窒素、アルゴン、酸素、水素、清浄な乾燥空気、ヘリウム、アンモニア、およびそれらの任意の組合せからなる群のなかから選択されることを特徴とする方法。
【請求項１９】
請求項１０に記載の方法において、
前記ハウジングが、前記重要なプロセス、アプリケーションおよび／または貯蔵容器に送達されるガス流の連続的な流れを可能にするように構成され、前記ガス流が、約０．１０ｍｇ／分〜１０ｇ／分のプロセス溶体の気相を送達することを特徴とする方法。
【請求項２０】
化学物質送達システムであって、
（ａ）ハウジング内に提供されるプロセス溶体であって、前記ハウジング内に配置される基材上に吸着され、それにより前記基材内のプロセス溶体を希釈するように、前記基材と接触するプロセス溶体と、
（ｂ）プロセス溶体の気相と流体接触し、それにより前記ハウジング内にガス流を形成するキャリアガスまたは真空と、
（ｃ）前記ハウジングと流体連通し、前記ガス流を重要なプロセス、アプリケーションまたは貯蔵容器に送達するように構成された装置とを備え、
前記ハウジングは、キャリアガスが前記ハウジング内のヘッドスペースを通って流れることを可能にするように構成されるか、または真空が前記ヘッドスペースを介して引き込まれることを可能にするように構成されることを特徴とする化学物質送達システム。
【請求項２１】
請求項２０に記載の化学物質送達システムにおいて、
前記プロセス溶体が、溶液または気溶体であり、過酸化水素、ヒドラジン、モノメチルヒドラジン、第三級ブチルヒドラジン、ジメチルヒドラジン、およびそれらの任意の誘導体からなる群のなかから選択されることを特徴とする化学物質送達システム。
【請求項２２】
請求項２１に記載の化学物質送達システムにおいて、
前記プロセス溶体が、無水過酸化水素溶体または無水ヒドラジン溶体であることを特徴とする化学物質送達システム。
【請求項２３】
請求項２０に記載の化学物質送達システムにおいて、
前記基材が、アルミナ、酸化アルミニウム、二酸化チタン、シリカ、二酸化ケイ素、石英、活性炭、分子ふるい炭素、熱分解炭素、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、レーヨン、酸化ジルコニウム、ゼオライト、高シリカゼオライト、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、シルク、テンセル、スポンジ材料、ポリエチレングリコール（ＰＥＧ）、ポリビニルアルコール（ＰＶＡ）、および／またはポリビニルピロリドン（ＰＶＰ）、ポリピリジン、ポリアクリレート、ポリアクリル酸、ポリアクリル酸／アクリレートコポリマー、ポリカーボネート、ポリアクリルアミド、ポリアクリレート／アクリルアミドコポリマー、セルロース材料、およびそれらの任意の組合せからなる群のなかから選択される材料から形成されていることを特徴とする化学物質送達システム。
【請求項２４】
請求項２０に記載の化学物質送達システムにおいて、
前記基材が、二酸化ケイ素、石英、活性炭、ポリテトラフルオロエチレン（ＰＴＦＥ）、ポリエステル（ＰＥ）、ポリエチレンテレフタレート（ＰＥＴ）、ポリエチレン／ポリエチレンテレフタレートコポリマー（ＰＥ／ＰＥＴ）、ポリプロピレン（ＰＰ）、ポリメチルペンテン（ＰＭＰ）、ポリブチレンテレフタレート（ＰＢＴ）、ポリエチレン／ポリプロピレンコポリマー、親水性高密度ポリエチレン（ＨＤＰＥ）、疎水性高密度ポリエチレン（ＨＤＰＥ）、親水性ＵＨＭＷポリエチレン、疎水性ＵＨＭＷポリエチレン、ペルフルオロアルコキシアルカン（ＰＦＡ）、ポリフッ化ビニリデン（ＰＶＦ）、およびそれらの任意の組合せからなる群のなかから選択される材料から形成されることを特徴とする化学物質送達システム。
【請求項２５】
請求項２０に記載の化学物質送達システムにおいて、
前記基材が、約１００ｍ２／ｇ〜１０００ｍ２／ｇの範囲の表面積を有する多孔質構造であり、３０％ｗ／ｗを超える過酸化水素を吸着するように構成されることを特徴とする化学物質送達システム。
【請求項２６】
請求項２０に記載の化学物質送達システムにおいて、
前記基材が、スパンボンディング、ニードルボンディング、パーフォレーションボンディング、カーディングおよびそれらの任意の組合せからなる群のなかから選択される機械的仕上げプロセスで処理された不織布であることを特徴とする化学物質送達システム。
【請求項２７】
請求項２０に記載の化学物質送達システムにおいて、
前記基材が、ポリエチレングリコール（ＰＥＧ）、ポリビニルアルコール（ＰＶＡ）、ポリビニルピロリドン（ＰＶＰ）、ポリピリジン、およびそれらの任意の組合せからなる群のなかから選択されるヒドロゲルであることを特徴とする化学物質送達システム。
【請求項２８】
請求項２０に記載の化学物質送達システムにおいて、
前記キャリアガスが、実質的に乾燥したキャリアガスであり、窒素、アルゴン、水素、清浄な乾燥空気、ヘリウム、アンモニアおよびそれらの任意の組合せからなる群のなかから選択されることを特徴とする化学物質送達システム。